(57)【要約】      （修正有）【課題】着座の安定性や持ち運びの利便性を損なうことなく、椅子高さを容易に調整することができる椅子高さ調整台および椅子高さ調整台付き正座補助椅子を提供する。【解決手段】一対の脚部材３，３および保持部材５のそれぞれの下面に接触状態で敷かれる台座２２を備えるものとし、この台座２２の上面に、一対の脚部材３，３に挟まれ、かつ保持部材５を挟む一対の位置決め部材２３，２３を設けるとともに、保持部材５の下面に一対のビスを埋設し、これら一対のビスに対応する一対の磁石体２４，２４を台座２２の上面に埋設する。【選択図】図６
0003172093.tif 000002
【実用新案登録請求の範囲】
【請求項１】
人の臀部を載せることのできる座板と、この座板を支持する一対の脚部材と、これら脚部材を連結するように保持する保持部材と、この保持部材の下面に埋設される磁性体または磁石体とを備える正座補助椅子の椅子高さを調整するための椅子高さ調整台であって、
前記一対の脚部材および保持部材のそれぞれの下面に接触状態で敷かれる台座を備え、この台座の上面に、前記一対の脚部材に挟まれ、かつ前記保持部材を挟む一対の位置決め部材を設けるとともに、前記磁性体または磁石体に対応するように磁石体または磁性体を埋設することを特徴とする椅子高さ調整台。
【請求項２】
人の臀部を載せることのできる座板と、この座板を支持する一対の脚部材と、これら脚部材を連結するように保持する保持部材と、この保持部材の下面に埋設される磁性体または磁石体とを備える正座補助椅子に、椅子高さを調整するための椅子高さ調整台が装着されてなる椅子高さ調整台付き正座補助椅子であって、
前記椅子高さ調整台は、
前記一対の脚部材および保持部材のそれぞれの下面に接触状態で敷かれる台座と、
前記一対の脚部材に挟まれ、かつ前記保持部材を挟むように前記台座の上面に設けられる一対の位置決め部材と、
前記磁性体または磁石体に対応するように前記台座の上面に埋設される磁石体または磁性体と
を備えてなることを特徴とする椅子高さ調整台付き正座補助椅子。
【考案の詳細な説明】
【技術分野】
【０００１】
本考案は、冠婚葬祭や各種の会合の席などで長時間正座するときに、お尻の下に敷いて足が痺れるのを軽減する正座補助椅子の椅子高さを調整するための椅子高さ調整台およびその椅子高さ調整台により椅子高さ調整可能な椅子高さ調整台付き正座補助椅子に関するものである。
【背景技術】
【０００２】
従来、椅子高さ調整可能な正座補助椅子として、例えば特許文献１にて提案されているものがある。
【先行技術文献】
【特許文献】
【０００３】
【特許文献１】実用新案登録第３１６２９６７号公報
【０００４】
図９（ａ）に示されるように、この特許文献１に係る正座補助椅子１０１においては、人の臀部を載せる座板が上面板１０２と下面板１０３とを積層して構成され、これら上面板１０２と下面板１０３とが分離可能に組み合わされている。
【０００５】
すなわち、上面板１０２の下面には、一対の位置決め用の突起１０４，１０４が設けられ、下面板１０３には、一対の突起１０４，１０４に対応する一対の嵌合穴１０５，１０５が設けられており、突起１０４が嵌合穴１０５に嵌合されることで、上面板１０２に下面板１０３が結合されている。
【０００６】
一方、この正座補助椅子１を体格の大きな人（例えば男性）向けに用いたい場合には、図９（ｂ）に示されているように調整板１０６を上面板１０２と下面板１０３との間に介挿するようにする。この調整板１０６には、上面の所定位置に上面板１０２の突起１０４に嵌合される嵌合穴１０７が設けられるとともに、下面の所定位置に、下面板１０３に形成されたやや大径の嵌合穴１０８に嵌合される突起１０９が設けられている。
【０００７】
しかしながら、上記の正座補助椅子１０１では、調整板１０６の使用に際して、上面板１０２と下面板１０３との分離動作に続いて、突起１０４と嵌合穴１０７との嵌合動作と、突起１０９と嵌合穴１０８との嵌合動作とを実施しなければならないため、手間がかかり、椅子高さを容易に調整することができないという問題点がある。
なお、突起１０４，１０９と嵌合穴１０７，１０８との嵌め合いを緩くすることで、上記の嵌合動作をより容易に行うことができるようにして、手間の軽減を図ることも考えられるが、これでは、上面板１０２と調整板１０６と下面板１０３との間でのガタつきが大きくなり、着座の安定性が悪くなるという問題点がある。また、ちょっとした衝撃でも上面板１０２と調整板１０６と下面板１０３とが分解してしまうため、正座補助椅子１０１の持ち運びが不便になるという問題点もある。
【考案の概要】
【考案が解決しようとする課題】
【０００８】
本考案は、前述のような問題点に鑑みてなされたもので、着座の安定性や持ち運びの利便性を損なうことなく、椅子高さを容易に調整することができる椅子高さ調整台および椅子高さ調整台付き正座補助椅子を提供することを目的とするものである。
【課題を解決するための手段】
【０００９】
前記目的を達成するために、本考案による椅子高さ調整台は、
人の臀部を載せることのできる座板と、この座板を支持する一対の脚部材と、これら脚部材を連結するように保持する保持部材と、この保持部材の下面に埋設される磁性体または磁石体とを備える正座補助椅子の椅子高さを調整するための椅子高さ調整台であって、
前記一対の脚部材および保持部材のそれぞれの下面に接触状態で敷かれる台座を備え、この台座の上面に、前記一対の脚部材に挟まれ、かつ前記保持部材を挟む一対の位置決め部材を設けるとともに、前記磁性体または磁石体に対応するように磁石体または磁性体を埋設することを特徴とするものである（第１考案）。
【００１０】
次に、本考案による椅子高さ調整台付き正座補助椅子は、
人の臀部を載せることのできる座板と、この座板を支持する一対の脚部材と、これら脚部材を連結するように保持する保持部材と、この保持部材の下面に埋設される磁性体または磁石体とを備える正座補助椅子に、椅子高さを調整するための椅子高さ調整台が装着されてなる椅子高さ調整台付き正座補助椅子であって、
前記椅子高さ調整台は、
前記一対の脚部材および保持部材のそれぞれの下面に接触状態で敷かれる台座と、
前記一対の脚部材に挟まれ、かつ前記保持部材を挟むように前記台座の上面に設けられる一対の位置決め部材と、
前記磁性体または磁石体に対応するように前記台座の上面に埋設される磁石体または磁性体と
を備えてなることを特徴とするものである（第２考案）。
【考案の効果】
【００１１】
本考案においては、一対の脚部材および保持部材のそれぞれの下面に接触状態で敷かれる台座の上面に設けられた一対の位置決め部材により、台座の水平方向のガタつきが抑えられる。また、一対の位置決め部材を一対の脚部材の間で保持部材を挟むような位置に近づけると、磁石体と磁性体との間で作用する磁力によって台座が保持部材に密着され、台座を容易に取り付けることができる。かかる磁力よりも大きい力でもって台座を保持部材から引き離すように引っ張れば、台座を容易に取り外すことができる。したがって、着座の安定性や持ち運びの利便性を損なうことなく、椅子高さを容易に調整することができる。
【図面の簡単な説明】
【００１２】
【図１】本考案の一実施形態に係る椅子高さ調整台付き正座補助椅子の全体斜視図
【図２】本実施形態に係る椅子高さ調整台付き正座補助椅子の正面図
【図３】本実施形態に係る正座補助椅子の側面図で、保持部材を取り付けた状態図（ａ）および保持部材を取り外した状態図（ｂ）
【図４】本実施形態に係る正座補助椅子の裏面図で、折畳位置で保持部材を取り外した状態図（ａ）および起立位置で保持部材を取り外した状態図（ｂ）
【図５】一対の脚部材の間に保持部材を収納した状態図
【図６】本実施形態に係る椅子高さ調整台の全体斜視図（ａ）、平面図（ｂ）、正面図（ｃ）および側面図（ｄ）
【図７】本実施形態に係る正座補助椅子の折畳・展開動作説明図
【図８】本実施形態に係る椅子高さ調整台の着脱動作説明図
【図９】従来の正座補助椅子の説明図
【考案を実施するための形態】
【００１３】
次に、本考案による椅子高さ調整台および椅子高さ調整台付き正座補助椅子の具体的な実施の形態について、図面を参照しつつ説明する。
【００１４】
＜正座補助椅子の概略説明＞
図１に示されるように、本実施形態の椅子高さ調整台付き正座補助椅子１は、正座補助椅子１ａに、椅子高さを調整するための椅子高さ調整台２１が装着されて構成されている。
正座補助椅子１ａは、人の臀部Ｈ（図２参照）を載せることのできる座板２と、この座板２を支持する一対の脚部材３，３と、各脚部材３の上端部と座板２の下面とを接続する一対のヒンジ機構４，４と、一対の脚部材３，３を起立位置に保持する保持部材５とを備えている。
【００１５】
＜座板の説明＞
図２に示されるように、座板２は、基板６の上面に弾力性に富むクッション材７が貼り付けられて構成され、横方向（着座者の左右方向）の寸法に対して奥行方向（着座者の前後方向）の寸法が短い長方形状で、人の臀部Ｈを載せることができる大きさに形成されている。なお、このクッション材７を合成皮や市販の布地類などのカバーで覆うのが好ましい。また、このカバーには、華麗な色柄を付したり、冠婚葬祭に適合する和風調の色柄を付したりするのがよい。
【００１６】
＜脚部材の説明＞
脚部材３は、座板２を下側から支えるものであり、座板２の横方向に一対配されている。この脚部材３は、下端部が上部に対し奥行方向にやや幅広にされた板状部材で構成されている。また、脚部材３の脚長寸法は、脚部材３が後述する起立位置にあるとき、座板２が所定高さ位置に配されるようにその大きさが決定されている。ここで、所定高さ位置とは、着座者が臀部Ｈを座板２に載せて正座姿勢をとったとしても、ふくらはぎや足Ｆの圧迫が軽減され、しかも正座姿勢として違和感がないという条件を満足する高さ位置のことである。なお、この所定高さ位置は、後述するように椅子高さ調整台２１（図６参照）にて調整可能とされている。
【００１７】
図３（ｂ）に示されるように、脚部材３には、所要幅のスリット３ａが形成されている。このスリット３ａは、脚部材３の奥行方向中間部において、脚部材３の脚長方向中間位置から接地側の端位置（先端位置）に亘って形成されている。
【００１８】
＜ヒンジ機構の説明＞
図２に示されるように、ヒンジ機構４は、座板２の横方向の中央部より端部寄りの位置と、脚部材３の非接地側の端部（基端部）とを接続するものであり、金属製の蝶番が用いられている。このヒンジ機構４は、基板６にビス８（図４（ｂ）参照）にて固定される板状部材よりなる第１取付部４ａと、脚部材３の基端部の側面にビス９（図３参照）にて固定される板状部材よりなる第２取付部４ｂと、第１取付部４ａと第２取付部４ｂとを揺動自在に接合する連結部４ｃとにより構成されている。
こうして、一対の脚部材３，３の上端部と座板２の下面とを接続する一対のヒンジ機構４，４により、一対の脚部材３，３を、座板２の下面に対して鉛直な向きに起立させる起立位置（図４ｂ参照）と、座板２の下面に平行な向きに折り畳む折畳位置（４（ａ）参照）との間で回動可能とされている。
なお、本実施形態では、ヒンジ機構４として、金属製の蝶番を用いた例を示したが、これに限定されるものではない。例えば、座板２の基板６と脚部材３とを共に樹脂製とし、基板６の下面側にピン挿通孔を有する連結部を樹脂成形により一体的に設けるとともに、脚部材３の基端側にピン挿通孔を有する連結部を樹脂成形により一体的に設け、これら基板６の連結部と脚部材３の連結部とをピンで連結することにより、ヒンジ機構４と機能的に同じヒンジ機構を構成するようにしてもよい。
【００１９】
＜脚部材のストッパの説明＞
基板６の横方向の端部には、脚部材３を折畳位置（図４（ａ）参照）に回動させた際にその脚部材３と突き当て可能にストッパ１０が接合されている。このストッパ１０は、脚部材３の外側面に接触する平坦面を有する丸形や六角形の板状磁性体で構成されている。この板状磁性体からなるストッパ１０に対応する脚部材３の外側面側には磁石体１１（図３ｂ参照）が埋め込まれており、一対の脚部材３，３が折畳位置にあるとき、ストッパ１０と磁石体１１との間に作用する磁力によって、その脚部材３の折畳状態が保持されるようになっている。
【００２０】
＜保持部材の説明＞
保持部材５は、一対の脚部材３，３を連結して起立位置に保持するものであって、各脚部材３に対し抜き差し操作により着脱可能に装着されている。図７に示されるように、この保持部材５は、保持部材本体５ａと、保持部材本体５ａの両側部に一体的に設けられている張出アーム５ｂとにより構成されている。なお、この保持部材５は、座板２を補助的に支持する補強部材としても機能する。
【００２１】
保持部材本体５ａは、接地面を有して当該保持部材本体５ａの土台を形成するベース部５ｃと、起立位置にある一対の脚部材３，３の間にぴったりと嵌り込む山部５ｄとを有し、一対の脚部材３，３のそれぞれのスリット３ａに抜き差し可能な形状寸法に形成されている。また、保持部材本体５ａの中央部には、手指を挿入可能な所要の楕円孔５ｅが設けられている。これら楕円孔５ｅに手指を引っ掛けて保持部材５を操作することにより、一対の脚部材３，３に対する保持部材５の抜き差し動作をより容易に行うことができる。
【００２２】
張出アーム５ｂは、保持部材本体５ａが一対の脚部材３，３のそれぞれのスリット３ａに差し込まれた状態において、保持部材本体５ａから基板６の横方向端部に向けて一対の脚部材３，３の外側に張り出すように延設されている。この張出アーム５ｂの基部と保持部材本体５ａの山部５ｄとの間には、脚部材３のスリット３ａの奥部が嵌り込む溝部５ｆが形成されている。
【００２３】
基板６には磁石体１２が埋め込まれるとともに、この磁石体１２に対応する保持部材５の山部５ｄ中央にはビス（磁性体）１３が埋め込まれており、起立位置にある脚部材３，３の各スリット３ａに保持部材５を差し込んだ際に、磁石体１２とビス１３との間に作用する磁力によって、保持部材５が基板６に確実に保持されるようになっている。
【００２４】
保持部材５における保持部材本体５ａの中央部には表裏面に亘ってビス（磁性体）１４が埋め込まれており、図５に示されるように、折畳位置にある左右の脚部材３，３の中間部に保持部材５を嵌め込んだ際に、そのビス１４が基板６に埋め込まれた磁石体１２に吸着されるようになっている。こうして、当該正座補助椅子１ａを折畳状態で持ち歩く際に、全体形状を扁平形状にすることができて嵩張ることがない。
【００２５】
＜構成部品の材質等の説明＞
脚部材３や保持部材５、基板６などの構成部品は、比較的高い剛性を得ることができるとともに軽量化を図ることができる木材や樹脂などの材質のもので構成するのが好ましい。また、クッション材７などの構成部品は、比較的高い弾性力を得ることができるとともに軽量化を図ることができる発泡樹脂などの材質のもので構成するのが好ましい。
【００２６】
＜椅子高さ調整台の説明＞
図１に示されるように、一対の脚部材３，３および保持部材５の下面側には、椅子高さを調整するための椅子高さ調整台２１が装着されている。この椅子高さ調整台２１は、一対の脚部材３，３および保持部材５のそれぞれの下面に接触状態で敷かれる平面視Ｈの字状の台座２２を備えている。
図６（ａ）〜（ｄ）に示されるように、この台座２２の上面には、一対の脚部材３，３に挟まれ（図６（ｃ）参照）、かつ保持部材５を挟む（図６（ｂ）（ｄ）参照）一対の長方形板状の位置決め部材２３，２３が固設されている。
図７に示されるように、保持部材５の下面（接地面）の両側部には、所定間隔を存して一対のビス（磁性体）１５，１５が埋め込まれている。これら一対のビス１５，１５に対応するように、台座２２の上面には、一対の磁石体２４，２４が埋め込まれている。なお、保持部材５の下面（接地面）の両側部に所定間隔を存して一対の磁石体を埋め込み、これら一対の磁石体に対応するように、台座２２の上面に一対のビス（磁性体）を埋め込むようにしてもよい。
【００２７】
＜正座補助椅子の折畳動作の説明＞
次に、上述の構成よりなる正座補助椅子１ａの折畳動作について説明する。
まず、図８において一対の脚部材３，３に差し込まれている保持部材５を図８中矢印Ａ方向に抜き取る。次いで、起立位置にある脚部材３を折畳位置に向けて連結部４ｃを中心に回動させ、脚部材３を座板２に重ね合わせて折畳位置に位置させる。また、抜き取った保持部材５を折畳位置にある左右の脚部材３，３の中間部に嵌め込んで、磁性体１４を磁石体１２に吸着させる。こうして、図５に示されるように、正座補助椅子１ａを容易かつコンパクトに折り畳むことができる。
【００２８】
＜正座補助椅子の展開動作の説明＞
次に、正座補助椅子１ａの展開動作について説明する。
まず、図５において保持部材５を座板２から取り外した後、折畳位置にある脚部材３を起立位置に向けて連結部４ｃを中心に回動させ、脚部材３の基端面を基板６の下面に突き当てて脚部材３を起立位置に位置決めする。次いで、図８中矢印Ｂ方向に保持部材５を進め、保持部材５を一対の脚部材３，３のそれぞれのスリット３ａを通して差し込む。こうして、一対の脚部材３，３を起立保持させて正座補助椅子１ａを使用可能な状態に容易に展開することができる。
【００２９】
＜椅子高さ調整台の着脱動作の説明＞
図２に示されるように、一対の脚部材３，３および保持部材５の下面側に椅子高さ調整台２１が装着されている状態において、図８中矢印Ａ方向に、一対の磁石体２４，２４と一対のビス１５，１５との間で作用する磁力よりも大きい力でもって台座２２を保持部材５から引き離すように引っ張れば、椅子高さ調整台２１を容易に取り外すことができる。
これとは逆に、椅子高さ調整台２１が取り外されている状態において、図８中矢印Ｂ方向に、一対の位置決め部材２３，２３を一対の脚部材３，３の間で保持部材５を挟むような位置に近づけると、一対の磁石体２４，２４と一対のビス１５，１５との間で作用する磁力によって台座２２が保持部材５に密着され、椅子高さ調整台２１を容易に取り付けることができる。
【００３０】
＜作用効果の説明＞
本実施形態の椅子高さ調整台付き正座補助椅子１においては、一対の脚部材３，３および保持部材５のそれぞれの下面に接触状態で敷かれる台座２２の高さ寸法に応じて椅子高さが調整される。なお、椅子高さ調整台２１は、台座２２の高さ寸法のことなる複数のものを用意しておくのが好ましい。
椅子高さ調整台２１において、台座２２の上面には、一対の脚部材３，３に挟まれ、かつ保持部材５を挟む一対の位置決め部材２３，２３が固設されているので、これら一対の位置決め部材２３，２３により、椅子高さ調整台２１の水平方向のガタつきが抑えられる。また、一対の位置決め部材２３，２３を一対の脚部材３，３の間で保持部材５を挟むような位置に近づけると、台座２２に埋設された一対の磁石体２４，２４と、保持部材５に埋設された一対のビス１５，１５との間で作用する磁力によって台座２２が保持部材５に密着され、椅子高さ調整台２１を容易に取り付けることができる。かかる磁力よりも大きい力でもって台座２２を保持部材５から引き離すように引っ張れば、椅子高さ調整台２１を容易に取り外すことができる。
したがって、着座の安定性や持ち運びの利便性を損なうことなく、椅子高さを容易に調整することができる。
【００３１】
また、本実施形態の正座補助椅子１ａにおいては、脚部材３を起立位置に保持する保持部材５が設けられているので、着座者が横方向へ体重移動したとしても、脚部材３を起立位置で強固に保持することができる。また、一対の脚部材３，３に対する保持部材５の抜き差し操作と、連結部４ｃを中心とする脚部材３の回動操作とにより、正座補助椅子１ａを容易に折り畳んだり展開したりすることができる。しかも、抜き取った保持部材５は折畳状態にある左右の脚部材３，３間に納めることができる。したがって、着座者の横方向の体重移動を伴う使用にも耐え、しかも携帯に便利な正座補助椅子１ａを得ることができる。なお、保持部材５は座板２を補助的に支持する補強部材としても機能するので、正座補助椅子１ａの強度を高めることができ、比較的大きな荷重をかけることができる。
【００３２】
また、本実施形態の正座補助椅子１ａによれば、脚部材３，３の起立位置における保持部材５の保持、脚部材３，３の折畳位置における脚部材３，３および保持部材５の保持が、一方側に設けた磁石体と他方側に設けた磁性体との吸着によって行われているので、それらの保持が確実に行え、着座時に保持部材５が外れたり、あるいは持ち運び時に脚部材３が開いたりといった不具合の発生を確実に防止することができる。
【産業上の利用可能性】
【００３３】
本考案の椅子高さ調整台付き正座補助椅子は、着座の安定性や持ち運びの利便性を損なうことなく、椅子高さを容易に調整することができ、着座者の横方向の体重移動を伴う使用にも耐え、しかもコンパクトに折り畳み可能であるという特性を有していることから、冠婚葬祭や各種の会合の席などで長時間正座するときにお尻の下に敷く携帯式の椅子としての用途に好適に用いることができる。
【符号の説明】
【００３４】
１                椅子高さ調整台付き正座補助椅子
１ａ              正座補助椅子
２                座板
３                脚部材
５                保持部材
１１，１２，      磁石体
１３，１４，１５  ビス（磁性体）
２１              椅子高さ調整台
２２              台座
２３              位置決め部材
２４              磁石体
【図１】
0003172093.tif 000003
【図２】
0003172093.tif 000004
【図３】
0003172093.tif 000005
【図４】
0003172093.tif 000006
【図５】
0003172093.tif 000007
【図６】
0003172093.tif 000008
【図７】
0003172093.tif 000009
【図８】
0003172093.tif 000010
【図９】
0003172093.tif 000011